(57)【要約】【課題】移動端末の利用者が移動端末を用いたサービスを享受できる情報検索配信方法およびシステムを提供する。【解決手段】検索要求に含まれるキーワードを抽出し、キーワードから追加キーワードを導き出し、キーワードおよび追加キーワードを用いて移動端末の利用者が希望する情報を把握する。さらに、移動端末の滞留地情報に基づいて、移動端末の滞留地を把握し、移動端末の利用者が希望する情報に該当する情報コンテンツを滞留地を含む特定エリアの情報に限定して抽出する。検索要求を受信する際に、移動端末を介した音声による検索情報の入力を受け付ける。情報コンテンツは、ＵＲＬに対応して設けられ、抽出する情報コンテンツ候補をＵＲＬに変換し、移動端末にＨＴＭＬにより情報を提供する。【選択図】  図１
2004297548.tif 000002
【特許請求の範囲】
【請求項１】
移動端末から通信網を介して情報の検索要求と前記移動端末の滞留地に関する情報を受信し、前記移動端末の利用者が希望する情報コンテンツを移動端末に配信する情報検索配信方法であって、
前記検索要求に含まれるキーワードを抽出するステップと、
前記キーワードから追加キーワードを導き出すステップと、
前記キーワードおよび前記追加キーワードを用いて前記移動端末の利用者が希望する情報を把握するステップと、
前記滞留地情報に基づいて、前記移動端末の滞留地を把握するステップと、
把握した前記移動端末の利用者が希望する情報に該当する情報コンテンツを前記滞留地を含む特定エリアの情報に限定して抽出するステップと、
抽出した前記情報コンテンツを移動端末に配信するステップと
を含むことを特徴とする情報検索配信方法。
【請求項２】
前記検索要求を受信する際に、前記移動端末を介した音声による検索情報の入力を受け付けるステップを含む請求項１記載の情報検索配信方法。
【請求項３】
前記追加キーワードを導き出す際に、前記移動端末に追加キーワード候補を表示させ、そのいずれかの選択を促すステップを含む請求項１または２記載の情報検索配信方法。
【請求項４】
前記情報コンテンツは、ＵＲＬに対応して設けられ、
前記情報コンテンツを抽出する際に、抽出する情報コンテンツ候補をＵＲＬに変換するステップと、
このＵＲＬを用いて前記情報コンテンツをＨＴＭＬベースで抽出するステップと
を含む請求項１ないし３のいずれかに記載の情報検索配信方法。
【請求項５】
前記滞留地に関する情報は、前記移動端末から送信されたＧＰＳの緯度経度情報あるいはＰＨＳ基地局の所在地情報である請求項１ないし４のいずれかに記載の情報検索配信方法。
【請求項６】
移動端末から通信網を介して情報の検索要求と前記移動端末の滞留地に関する情報を受信し、前記移動端末の利用者が希望する情報コンテンツを移動端末に配信する情報検索配信システムであって、
前記検索要求に含まれるキーワードを抽出する手段と、
前記キーワードから追加キーワードを導き出す手段と、
前記キーワードおよび前記追加キーワードを用いて前記移動端末の利用者が希望する情報を把握する手段と、
前記滞留地情報に基づいて、前記移動端末の滞留地を把握する手段と、
把握した前記移動端末の利用者が希望する情報に該当する情報コンテンツを前記滞留地を含む特定エリアの情報に限定して抽出する手段と、
抽出した前記情報コンテンツを移動端末に配信する手段と
を含むことを特徴とする情報検索配信システム。
【請求項７】
前記移動端末を介した音声による検索情報の入力を受け付ける手段を含む請求項６記載の情報検索配信システム。
【請求項８】
前記追加キーワードを導き出す手段は、前記移動端末に追加キーワード候補を表示させ、そのいずれかの選択を促す手段を含む請求項６または７記載の情報検索配信システム。
【請求項９】
前記情報コンテンツは、ＵＲＬに対応して設けられ、
前記情報コンテンツを抽出する手段は、
抽出する情報コンテンツ候補をＵＲＬに変換する手段と、
このＵＲＬを用いて前記情報コンテンツをＨＴＭＬベースで抽出する手段と
を含む請求項６ないし８のいずれかに記載の情報検索配信システム。
【請求項１０】
前記滞留地に関する情報は、前記移動端末から送信されたＧＰＳの緯度経度情報あるいはＰＨＳ基地局の所在地情報である請求項６ないし９のいずれかに記載の情報検索配信システム。
【発明の詳細な説明】
【０００１】
【発明の属する技術分野】
本発明は、移動端末にその利用者が要求する情報コンテンツを配信する方法とシステムに関する。特に、移動端末からの音声入力や曖昧な入力情報に基づく情報検索、端末位置の情報把握により端末の移動先あるいは滞留地近隣の情報検索を可能とし、収集した情報を移動端末に配信する方法とシステムに関する。
【０００２】
なお、ここで移動端末とは、利用者が所持／携帯することができ、かつ、利用者の現在位置を送信することのできる情報端末、例えば携帯電話、ＰＨＳ、ＧＰＳ、ならびに通信アダプタ付きＰＤＡやタブレットＰＣ、カーナビなどをいう。
【０００３】
【従来の技術】
従来、利用者の移動を前提とする情報配信システムとしては、例えば、移動端末の所在位置を把握し、端末の滞留地近辺にある大型のマルチメディア情報表示装置あるいはＰＤＰに、端末の希望する情報（コンテンツ）を配信するものがある（例えば、特許文献１参照）。
【０００４】
一方、ＮＴＴ  ＤｏＣｏＭｏ社の「ｉエリア」サービスを利用すれば、移動端末が在圏するエリアを特定することにより、移動端末の滞留地近辺の自動的に絞り込まれた情報を自動的に検索することができる。
【０００５】
また、従来の検索エンジンを用いても希望する情報を検索することができる。
【０００６】
【特許文献１】
特開２００２−８２８５８号公報
【非特許文献１】
テキストにおける言葉の意味の類似性／関連性を判定する技術、「ＤＳＩＵシステムにおける発想的意味照合」、佐藤・藤本・松澤、情処全大秋予稿集、１９９９年８月発行、ｐｐ．６５−６６
【非特許文献２】
「茶筌１．０」インターネット＜ＵＲＬ：ｈｔｔｐ：／／ｃｈａｓｅｎ．ａｉｓｔ−ｎａｒａ．ａｃ．ｊｐ／Ｉｎｄｅｘ．ｈｔｍｌ．ｊａ＞２００３．３．１７検索
【０００７】
【発明が解決しようとする課題】
前述したように、マルチメディア情報表示装置あるいはＰＤＰに、移動端末の希望する情報（コンテンツ）を配信する方式では、移動端末の近辺にマルチメディア情報表示装置が常にあるとは限らず、必要なときに必要な情報を移動端末に提示できない場合が少なくない。
【０００８】
また、移動端末が在圏するエリアを特定することにより、移動端末の滞留地近辺の自動的に絞り込まれた情報を自動的に検索する方式では、移動端末が移動中で、目的地到着前に目的地近辺の情報を検索する場合に、情報の選択に手間がかかる。
【０００９】
また、従来の検索エンジンに関しては、予備知識や利用経験を余り持たない利用者は、どのような検索情報を入力すれば良いかが分からないため、適切な情報の入力が困難である場合が多い。
【００１０】
本発明は、上記の移動端末による情報検索において、近隣で大型のマルチメディア情報表示装置が常に利用できるとは限らないため必要な情報が得られない、検索情報の適切な選択が困難、携帯電話などの移動端末の場合、画面が小さくＵＲＬなどの情報入力に時間と手間がかかるといった問題を解決し、移動端末の利用者が移動端末を用いたサービスを享受できる情報検索配信方法およびシステムを提供することを目的とする。
【００１１】
【課題を解決するための手段】
本発明の第一の観点は、移動端末から通信網を介して情報の検索要求と前記移動端末の滞留地に関する情報を受信し、前記移動端末の利用者が希望する情報コンテンツを移動端末に配信する情報検索配信方法である。
【００１２】
ここで、本発明の特徴とするところは、前記検索要求に含まれるキーワードを抽出するステップと、前記キーワードから追加キーワードを導き出すステップと、前記キーワードおよび前記追加キーワードを用いて前記移動端末の利用者が希望する情報を把握するステップと、前記滞留地情報に基づいて、前記移動端末の滞留地を把握するステップと、把握した前記移動端末の利用者が希望する情報に該当する情報コンテンツを前記滞留地を含む特定エリアの情報に限定して抽出するステップと、抽出した前記情報コンテンツを移動端末に配信するステップとを含むところにある。このようにして、キーワードから導き出される追加キーワードを用いることにより、検索対象となる情報を絞り込むことができる。
【００１３】
前記検索要求を受信する際に、前記移動端末を介した音声による検索情報の入力を受け付けるステップを含むことが望ましい。これにより、ボタン操作を必要とせずに便利である。特に、操作面および表示面ともに小さい移動端末では、音声による入力は利用者の利便性を向上させることができる。
【００１４】
また、前記追加キーワードを導き出す際に、前記移動端末に追加キーワード候補を表示させ、そのいずれかの選択を促すステップを含むことが望ましい。これにより、誤った追加キーワードを採用してしまうことを回避し、精度の高い情報検索を実現することができる。
【００１５】
また、前記情報コンテンツは、ＵＲＬに対応して設けられ、前記情報コンテンツを抽出する際に、抽出する情報コンテンツ候補をＵＲＬに変換するステップと、このＵＲＬを用いて前記情報コンテンツをＨＴＭＬベースで抽出するステップとを含むことが望ましい。これにより、インターネット上の情報検索に適し、移動端末にＨＴＭＬにより情報を提供することができる。
【００１６】
また、前記滞留地に関する情報は、前記移動端末から送信されたＧＰＳの緯度経度情報あるいはＰＨＳ基地局の所在地情報であることもできる。これによれば、移動端末の利用者は、滞留地の情報を入力する手間を省くことができる。さらに、このような滞留地の情報を移動端末が自動的に生成する方式と、利用者が手動で生成する方式とを切替可能とすることもできる。これにより、利用者の現在地の情報を検索できる他に、利用者が目的地に向かう途中であっても目的地の情報を検索することができる。
【００１７】
本発明の第二の観点は、移動端末から通信網を介して情報の検索要求と前記移動端末の滞留地に関する情報を受信し、前記移動端末の利用者が希望する情報コンテンツを移動端末に配信する情報検索配信システムである。
【００１８】
ここで、本発明の特徴とするところは、前記検索要求に含まれるキーワードを抽出する手段と、前記キーワードから追加キーワードを導き出す手段と、前記キーワードおよび前記追加キーワードを用いて前記移動端末の利用者が希望する情報を把握する手段と、前記滞留地情報に基づいて、前記移動端末の滞留地を把握する手段と、把握した前記移動端末の利用者が希望する情報に該当する情報コンテンツを前記滞留地を含む特定エリアの情報に限定して抽出する手段と、抽出した前記情報コンテンツを移動端末に配信する手段とを含むところにある。
【００１９】
前記移動端末を介した音声による検索情報の入力を受け付ける手段を含むことが望ましい。
【００２０】
また、前記追加キーワードを導き出す手段は、前記移動端末に追加キーワード候補を表示させ、そのいずれかの選択を促す手段を含むことが望ましい。
【００２１】
また、前記情報コンテンツは、ＵＲＬに対応して設けられ、前記情報コンテンツを抽出する手段は、抽出する情報コンテンツ候補をＵＲＬに変換する手段と、このＵＲＬを用いて前記情報コンテンツをＨＴＭＬベースで抽出する手段とを含むことが望ましい。
【００２２】
また、前記滞留地に関する情報は、前記移動端末から送信されたＧＰＳの緯度経度情報あるいはＰＨＳ基地局の所在地情報であることもできる。
【００２３】
【発明の実施の形態】
本発明実施形態を図１ないし図５を参照して説明する。図１は本発明実施形態による情報検索配信方法および情報検索配信システムの一般的な構成例を説明する図である。図２は本発明実施形態による情報検索配信方法および情報検索配信システムの代表的な実施例を説明する図である。図３は本発明実施形態による情報検索配信方法および情報検索配信システムにおけるＵＲＬ変換処理部の動作を説明する図である。図４は本発明実施形態による情報検索配信方法および情報検索配信システムにおける目的地周辺の情報を検索、取得する場合の処理を示すブロック図である。図５は本発明実施形態による情報検索配信方法および情報検索配信システムにおける現在地周辺の情報を検索、取得する場合の処理を示すブロック図である。
【００２４】
本発明実施形態は、図１に示すように、移動端末１から通信網３を介して情報の検索要求と移動端末１の滞留地に関する情報を受信し、移動端末１の利用者が希望する情報コンテンツを移動端末１に配信する情報検索配信システムである。
【００２５】
ここで、本発明実施形態の特徴とするところは、前記検索要求に含まれるキーワードを抽出する手段と、前記キーワードから追加キーワードを導き出す手段と、前記キーワードおよび前記追加キーワードを用いて移動端末１の利用者が希望する情報を把握する手段と、前記滞留地情報に基づいて、移動端末１の滞留地を把握する手段と、把握した移動端末１の利用者が希望する情報に該当する情報コンテンツを前記滞留地を含む特定エリアの情報に限定して抽出する手段とをＵＲＬ変換サーバ３に備え、抽出した前記情報コンテンツを移動端末１に配信する情報検索配信サーバ２を備えたところにある。
【００２６】
さらに、図２に示すように、移動端末１を介した音声による検索情報の入力を受け付ける音声認識サーバ４を含む。また、前記追加キーワードを導き出す手段は、移動端末１に追加キーワード候補を表示させ、そのいずれかの選択を促す手段を含む。
【００２７】
コンテンツサーバ５における情報コンテンツは、ＵＲＬに対応して設けられ、前記情報コンテンツを抽出する手段は、抽出する情報コンテンツ候補をＵＲＬに変換する手段と、このＵＲＬを用いて前記情報コンテンツをＨＴＭＬベースで抽出する手段とを含む。
【００２８】
また、移動端末１がＧＰＳ装置を搭載している場合には、前記滞留地に関する情報は、前記移動端末から送信されたＧＰＳの緯度経度情報として取得することができる。あるいは移動端末１がＰＨＳ端末である場合には、ＰＨＳ基地局の所在地情報として取得することができる。
【００２９】
図１に示す情報検索配信サーバ２、ＵＲＬ変換サーバ３、音声認識サーバ４およびコンテンツサーバ５を図４または図５を参照して説明する。図４または図５に示すように、情報検索配信サーバ２の端末位置情報取得部２０は、移動端末１がＧＰＳ装置を備えている場合には、ＧＰＳの緯度経度情報を受信して移動端末１の位置情報を取得する。あるいは、移動端末１がＰＨＳ端末である場合には、ＰＨＳ基地局の所在地情報を受信して移動端末１の位置情報を取得する。取得した位置情報は、端末位置情報蓄積部２１に蓄積される。
【００３０】
無線タグ読取部２２は、個人専用ＲＦＩＤ（Ｒａｄｉｏ  Ｆｒｅｑｕｅｎｃｙ  ＩＤ）タグなどの無線タグを読み取ることができる。例えば、無線タグに通勤・通学経路上にある地名・エリアを登録しておけば、無線タグ読取部２２は、その無線タグを読み込んで、地名やエリア情報を認識することができる。この無線タグに関する情報は、タグ情報蓄積部２３に蓄積される。
【００３１】
例えば、複数の利用者が一つの移動端末１を共有する場合を想定したときに、当該移動端末１を個人専用ＲＦＩＤタグに近付けると、無線タグ読取部２２が無線タグを読み取って情報を認識し、それ以降は、特定利用者用に特化された移動端末１としての機能を発動するという使い方ができる。この際に、例えば、無線タグに地名やエリアを登録しておけば、無線タグ読取部２２は、その無線タグを読み込んで、当該利用者がコンテンツ情報を検索したい地名やエリア情報を認識することができる。
【００３２】
ＵＲＬ変換サーバ３から出力された提供情報は、提供情報蓄積部２６に蓄積される。提供情報加工部２５は、移動端末１が受け入れ可能な形に提供情報の加工を行う。加工された提供情報は、配信情報出力部２４により移動端末１に宛て出力される。また、要求にしたがってＵＲＬ変換サーバ３とコンテンツサーバ５との間のリンクを確立する。
【００３３】
音声認識サーバ４は、移動端末１からの音声入力を音声入力部４０により受け付け、認識処理部４１により受け付けた音声入力の内容を認識する。
【００３４】
ＵＲＬ変換サーバ３は、ＵＲＬ変換処理部３１により、後に説明する図３に示す処理を行う。ＵＲＬ変換処理部３１は、ＵＲＬ変換処理制御部３０により制御される。データベース３２は、ＵＲＬ変換処理部３１に付属するデータベースである。
【００３５】
コンテンツサーバ５は、情報コンテンツをＵＲＬに対応して保持する。
【００３６】
以下では、本発明実施形態を詳細に説明する。
【００３７】
図１は、本発明実施形態による情報検索配信方法および情報検索配信システムの一般的な構成例を説明する図であって、符号１は移動端末、符号２は情報検索配信サーバ、符号４は音声認識サーバ、符号３はＵＲＬ変換サーバ、符号６は本発明実施形態の情報検索配信サーバ２および移動端末１が利用する動作環境である通信網、符号５は同じく本発明実施形態の情報検索配信サーバ２および移動端末１が利用する動作環境であるコンテンツサーバである。
【００３８】
図１で、情報検索配信サーバ２は、移動端末１の利用者が希望する情報コンテンツの検索要求を受信して、配信すべき情報コンテンツを把握する。この際、移動端末１は音声による検索情報の入力が可能であり、情報検索配信サーバ２は音声による移動端末１からの検索情報を情報検索配信サーバ２に接続された音声認識サーバ４により認識し、移動端末１の利用者が検索を希望する情報コンテンツを把握する。さらに、情報検索配信サーバ２は、移動端末１の利用者が希望する情報コンテンツの所在を把握する際に、情報検索配信サーバ２に接続されたＵＲＬ変換サーバ３が持つ検索用追加キーワード提示支援技術により移動端末１にボタン１つの操作で検索情報の選択を可能とし、入力された検索情報をＵＲＬに自動変換し、このＵＲＬを用いて移動端末の利用者が希望する情報コンテンツをＨＴＭＬベースで抽出する。続いて、情報検索配信サーバ２は、移動端末１の滞留地情報を、移動端末１の送信するＧＰＳによる緯度、経度情報あるいはＰＨＳ基地局情報から取得する。最後に、情報検索配信サーバ２が、移動端末１の利用者が希望する情報コンテンツを滞留地に所在する移動端末１にピンポイントに、リアルタイムに、電子的に配信する。
【００３９】
図２は、音声入力・認識を用いた検索条件の指定と検索用追加キーワード提示支援を用いた検索条件の明確化・具体化に基づく、本発明実施形態による情報検索配信方法および情報検索配信システムの一般的な実施例を説明する図である。以下、（交通機関で移動中に）携帯電話などで、取引先との会食をする有楽町近辺の店を検索し、予約する流れを例にとって、わかりやすく説明する。
【００４０】
図２において、ａ１、ａ２は図１の移動端末１の利用者が音声で検索情報を入力する様子である。ｂ１はａ１で示す音声入力を図１の音声認識サーバ４で認識し、移動端末１の画面上で検索情報の候補を選択する様子、ｂ２はａ２で示す音声入力を図１の音声認識サーバ４で認識し、検索キーワードの確認を行う様子をそれぞれ示している。例えば、利用者は、情報コンテンツを得たい地域情報として「有楽町」を音声入力する。すると、ｂ１の画面のように、音声認識の結果、最も確からしい順に、エリア情報の候補が表示される。利用者はｂ１において「有楽町」を含む選択肢「１．」をクリックする。続いて利用者は、情報コンテンツのキーワードとして「和食のうまい店、接待、クーポン」を音声入力する。すると、ｂ２の画面のように「和食、うまい、接待、クーポン」というキーワードが表示される。利用者はｂ２において、携帯電話のマイクに向かって発した言葉が正しく認識されているか、キーワードが含まれているかを確認する。
【００４１】
次に、ｃの画面のように、移動端末１の利用者が入力した検索情報を図１のＵＲＬ変換サーバ３が解釈し、検索用追加キーワードを利用者に提示する。例では、「和食」・「うまい」・「接待」のキーワードから、後述するＵＲＬ変換処理部３１によって、「静かな雰囲気」・「京風料理」といった２つの追加するキーワード候補が提示されている。
【００４２】
また、ｄはＵＲＬ変換サーバ３が検索結果をＵＲＬに自動変換し、このＵＲＬを用いて情報検索配信サーバ２が移動端末１の希望する情報コンテンツをＨＴＭＬベースで抽出し、配信する様子を示している。
【００４３】
例では、音声で入力した４つのキーワードに「静かな雰囲気」を加えた検索キーワードから、オンラインクーポンを発行している飲食店を検索し、移動端末１の画面に検索条件に合致した店舗情報（ＨＴＭＬ）を表示している。
【００４４】
以上により、本発明実施形態によれば、移動端末１の利用者は希望する情報コンテンツの検索に際し、情報検索配信サーバ２への検索情報を音声で容易に入力でき、音声入力の結果提示された検索情報の候補の選択や検索用キーワードの追加がボタン操作で可能となるので、検索情報の入力に手間や時間を要しない。すなわち、移動端末１の利用者は希望する情報コンテンツの検索に際し、情報検索配信サーバ２への検索要求の入力が容易で、手間や時間がかからず、必要な情報を必要な場所でリアルタイムに手にすることができる。
【００４５】
図３は、本発明実施形態による情報検索配信方法および情報検索配信システムにおいて、検索用追加キーワード提示支援を用いて検索条件を明確化・具体化するＵＲＬ変換処理部３１の動作を説明する図である。図３で、ＵＲＬ変換処理部３１は、ドキュメント収集処理（ステップ１）、特徴ベクトル生成処理（ステップ２）、自己組織化マップ構築処理（ステップ３）、追加キーワード候補抽出処理（ステップ４）、再検索・結果表示処理（ステップ５）の５つの処理から構成される。ここで、自己組織化マップとはニューラルネットワークの一種であり、Ｋｏｈｏｎｅｎによって提案された、いわゆる中間層のない２層型の教師信号なし学習モデルである。このネットワークモデルは、出力層が２次元のマップ状に配置され、隣接するニューロン間にもシナプス結合がある点に特徴がある。このＫｏｈｏｎｅｎモデルを一般的な学習アルゴリズムによって学習させると、特徴の似ている入力データは空間的に近い場所に、そうでないデータは離れた場所に配置されるような２次元の自己組織化マップが構築される。すなわち、図３の右上に示した例のように、マップ上で分割された各領域に似たような文書がまとめて配置されて、各領域には当該領域の特徴を最もよく表現したキーワードが対応するようなマップが生成される。
【００４６】
ドキュメント収集処理（ステップ１）は入力されたキーワードからＷｅｂコンテンツ（ＨＴＭＬ文書テキスト）を収集し、本文中に含まれるキーワードを抽出する。本システムでは収集対象とするインターネット上のＷｅｂサーバのトップページＵＲＬを指定することにより、そのページから参照されているＨＴＭＬ文書を網羅的に収集する。そして、既存の日本語形態素解析ソフト（例えば、非特許文献２参照）を用いて、各文書の本文から全角文字の名詞を抽出し、キーワードとする。図３の例では、発想的意味照合技術として「和食」からは「京風料理」というキーワードが抽出される。また、「うまい」からは「味」および「おいしい」というキーワードが抽出される。また、「満腹」からは「食べ放題」というキーワードが抽出される。また、「デート」からは「オシャレ」、「少人数」、「女性に人気」というキーワードが抽出される。また、「接待」からは「フォーマル」、「静かな雰囲気」、「個室」というキーワードが抽出される。
【００４７】
特徴ベクトル生成処理（ステップ２）は、各文書のキーワード総数やその出現確率から特徴ベクトルを生成する。この特徴ベクトルは、文書タイトル、ヘッダータグ、当該文書内の特定のキーワードの出現頻度や他の文書における出現頻度によって計算され、そのベクトルによって当該文書は特徴付けられる。
【００４８】
具体的な処理手順を説明する。まず、文書Ｄｐから抽出したキーワードＴｋに対して、その重みＷｐｋを次式で計算する。
【００４９】
【数１】
2004297548.tif 000003
ここで、
ｆｐｋ：文書Ｄｐ中の単語Ｔｋの出現頻度
Ｐ：文書の総数
ｎｋ：文書Ｄｐから抽出したキーワード数
Ｋｐ：文書Ｄｐから抽出したキーワード数
である。
【００５０】
次に、キーワード毎に全文書でのベクトルを加算し、上位定数個（例えば１０００個）を特徴ベクトルのインデックスキーワードとする。このインデックスキーワードを添字としてキーワードの重みを値とする配列を文書毎に生成し、この配列を当該文書の特徴ベクトルとする。
【００５１】
自己組織化マップ構築処理（ステップ３）は各特徴ベクトルを学習データとして、図３中に示すような２次元の自己組織化マップを構築する。
【００５２】
具体的な処理手順は、
（１）２次元マップ上の持つベクトルの各要素を０に初期化する。
（２）文書Ｄｐの持つ特徴ベクトルＶｐに最も近いベクトルをもつマップ上のニューロンをさがし、学習対象のニューロンに選定する。
（３）選定したニューロン、およびその周辺のニューロンの学習を行う。
（４）学習対象とする全ての文書の特徴ベクトルＶｐに対して、上記の（２）学習対象ニューロンの選定と（３）周辺ニューロンのベクトルの学習を行う。
（５）（２）から（４）までのステップを指定回数（例えば５０回）繰り返す。
【００５３】
自己組織化マップの学習終了後、特徴ベクトルＶｐと２次元マップ上のニューロンの持つ特徴ベクトルとの距離を計算し、最も距離的に近いニューロン上に当該文書を配置する。このようにして、２次元の自己組織化マップが構築される。
【００５４】
追加キーワード候補抽出処理（ステップ４）はクラスタリングによるキーワード集約や図３に示す発想的意味照合技術（例えば、非特許文献１参照）を用いて、検索用追加キーワード候補を抽出し、利用者に提示する。この検索用追加キーワード提示支援技術により適合率を落とすことなく利用者の適切なキーワード選択を支援することができる。
【００５５】
再検索・結果表示処理（ステップ５）は利用者が提示した追加キーワードを用いて、移動端末１の滞留地を含む特定エリアに限定してデータベース３２を再検索し、検索結果を表示する。
【００５６】
図４は、本発明実施形態による情報検索配信方法および情報検索配信システムにより移動端末１の利用者が事前に目的地の情報を検索して取得する場合の処理を示すブロック図である。破線は、端末位置情報蓄積部２１の位置情報と認識処理部４１の位置情報とが異なり、認識処理部４１の位置情報が優先される様子を表す。ＵＲＬ変換処理部３１は、移動端末１から情報コンテンツに関する検索要求を音声で受信、認識し、移動端末１の利用者が希望する情報コンテンツを抽出、把握する。地名やエリアのキーワードが音声により入力された場合、当該キーワードを認識処理部４１が認識し、検索する情報コンテンツは移動端末１の滞留地とは別の場所にあることを理解する。または、タグ情報蓄積部２３に蓄積された地名やエリア情報から、検索する情報コンテンツは移動端末１の滞留地とは別の場所にあることを理解する。
【００５７】
この場合、例えば、あらかじめ通勤・通学経路上にある地名・エリアを個人専用ＲＦＩＤタグなどの無線タグにあらかじめ登録しておけば、その無線タグを読み込ませることにより地名やエリア情報がタグ情報蓄積部２３に蓄積される。それから、配信すべき情報コンテンツをコンテンツサーバ５から取得し、配信情報出力部２４より移動端末１に配信する。以上により、本発明によれば、移動端末の利用者は事前に、必要とする目的地周辺の情報を受け取ることができる。
【００５８】
図５は、本発明実施形態による情報検索配信方法および情報検索配信システムにより移動端末の利用者が現在地周辺の情報を検索、取得する場合の処理を示すブロック図である。破線は、端末位置情報蓄積部２１の位置情報と認識処理部４１の位置情報とが同一である様子を表す。図５で、図１のＵＲＬ変換処理部３１は、移動端末１から情報コンテンツに関する検索要求を音声で受信、認識し、移動端末１の利用者が希望する情報コンテンツを把握する。検索する情報コンテンツは移動端末１の滞留地にあることを端末位置情報蓄積部２１からの情報、あるいはタグ情報蓄積部２３に蓄積された地名やエリア情報により理解し、配信すべき情報コンテンツをコンテンツサーバ５から取得し、配信情報出力部２４より移動端末１に配信する。以上により、本発明実施形態によれば、移動端末の利用者は必要なときに、必要とする最寄りの情報を受け取ることができる。
【００５９】
さらに、前述した移動端末１の現在位置の把握は必須ではなく、必ずしも端末位置情報取得部２０の機能がなくても本発明を実施できる。例えば、ネットワークに接続されたＰＣなどを使えない環境で、公共交通機関での移動中に「部下の結婚披露宴に招待されたが、お祝いの相場はいくらぐらいか」、「まもなく義父が還暦を迎えるが、マナーとして、お祝いは誕生日の何日前ぐらいに贈るのがよいか」といった情報を、知りたいときに調べることができる。
【００６０】
【発明の効果】
以上説明したように、本発明による情報検索配信方法および情報検索配信システムは、従来の情報配信システムの持つ、手元または近くで必要な情報が得られない、検索情報の適切な選択が困難、携帯電話などの移動端末の場合、画面が小さくＵＲＬなどの情報入力に時間と手間がかかるといった問題を解決する。また、移動端末の利用者が情報の検索に必要な入力を音声で容易に、また音声入力の結果提示された検索情報の候補の選択をボタン１つの操作で行うことが可能で、検索情報の入力の手間を省くと同時に、必要な情報を必要な場所で必要なときにピンポイントに、リアルタイムに手にすることができる。
【００６１】
以上の結果、販売事業者はエンドユーザ向けに商品やサービスに関する時間限定の有益な情報をタイムリーかつリアルタイムまたは準リアルタイムに提供することができる、さらに、端末利用者が滞留する近辺のレストランやホテルなどの情報を端末利用者にピンポイントに配信でき、事業者は施設の空きや時間貸しの時間の販売機会喪失を最小限に押さえることができる、などの効果が期待できる。
【００６２】
このように、本発明によれば、移動端末の利用者が移動端末を用いたサービスを享受できる情報検索配信方法およびシステムを提供することができる。
【図面の簡単な説明】
【図１】本発明実施形態による情報検索配信方法および情報検索配信システムの一般的な構成例を説明する図。
【図２】本発明実施形態による情報検索配信方法および情報検索配信システムの代表的な実施例を説明する図。
【図３】本発明実施形態による情報検索配信方法および情報検索配信システムにおけるＵＲＬ変換処理部の動作を説明する図。
【図４】本発明実施形態による情報検索配信方法および情報検索配信システムにおける目的地周辺の情報を検索、取得する場合の処理を示すブロック図。
【図５】本発明実施形態による情報検索配信方法および情報検索配信システムにおける現在地周辺の情報を検索、取得する場合の処理を示すブロック図。
【符号の説明】
１  移動端末
２  情報検索配信サーバ
３  ＵＲＬ変換サーバ
４  音声認識サーバ
５  コンテンツサーバ
６  通信網
２０  端末位置情報取得部
２１  端末位置情報蓄積部
２２  無線タグ読取部
２３  タグ情報蓄積部
２４  配信情報出力部
２５  提供情報加工部
２６  提供情報蓄積部
３０  ＵＲＬ変換処理制御部
３１  ＵＲＬ変換処理部
３２  データベース
４０  音声入力部
４１  認識処理部
【図１】
2004297548.tif 000004
【図２】
2004297548.tif 000005
【図３】
2004297548.tif 000006
【図４】
2004297548.tif 000007
【図５】
2004297548.tif 000008